(57)【要約】      （修正有）【課題】  イコライザ設定において、高音域のゲインの設定と低音域のゲインの設定をする際に、ユーザの煩雑さを解消する。【解決手段】  情報端末は、高音域のゲインについてのユーザ設定値と低音域のゲインについてのユーザ設定値とを二次元座標系で表現したイコライザ設定画面を表示する、イコライザ設定画面手段と、高音域のゲインについてのユーザ設定値と低音域のゲインについてのユーザ設定値を、それぞれ、プラス方向及びマイナス方向にシフトするための、ユーザ設定値シフト手段と、高音域のゲインについてのユーザ設定値と低音域のゲインについてのユーザ設定値に対応する前記イコライザ設定画面における座標に、現在のユーザ設定値を示す１つの設定値表示を表示し、高音域のゲインについてのユーザ設定値と低音域のゲインについてのユーザ設定値とに基づいて、音声データをイコライズ処理して、音声データの再生を行う、再生手段と、を備えている。【選択図】  図３
2007060376.tif 000002
【特許請求の範囲】
【請求項１】
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示する、イコライザ設定画面手段と、
高音域のゲインについてのユーザ設定値と低音域のゲインについてのユーザ設定値を、それぞれ、プラス方向及びマイナス方向にシフトするための、ユーザ設定値シフト手段と、
高音域のゲインについてのユーザ設定値と低音域のゲインについてのユーザ設定値に対応する前記イコライザ設定画面における座標に、現在のユーザ設定値を示す１つの設定値表示を表示するとともに、前記ユーザ設定値シフト手段でユーザ設定値がシフトされた場合には、前記設定値表示もシフトさせる、設定値表示手段と、
高音域のゲインについてのユーザ設定値と低音域のゲインについてのユーザ設定値とに基づいて、音声データをイコライズ処理して、音声データの再生を行う、再生手段と、
を備えることを特徴とする音声再生装置。
【請求項２】
前記ユーザ設定値シフト手段は、
高音域のゲインについてのユーザ設定値をプラス方向にシフトする、第１シフト手段と、
高音域のゲインについてのユーザ設定値をマイナス方向にシフトする、第２シフト手段と、
低音域のゲインについてのユーザ設定値をプラス方向にシフトする、第３シフト手段と、
低音域のゲインについてのユーザ設定値をマイナス方向にシフトする、第４シフト手段と、
を備えることを特徴とする請求項１に記載の音声再生装置。
【請求項３】
前記第１シフト手段乃至前記第４シフト手段は、前記イコライザ設定画面が表示されている１つの設定モードの中で有効に機能する、ことを特徴とする請求項２に記載の音声再生装置。
【請求項４】
前記第１シフト手段と前記第２シフト手段の一方と、前記第３シフト手段と前記第４シフト手段の一方は、同時に機能して、高音域のゲインについてのユーザ設定値をシフトするのと同時に、低音域のゲインについてのユーザ設定値もシフトすることが可能である、ことを特徴とする請求項２又は請求項３に記載の音声再生装置。
【請求項５】
前記第１シフト手段乃至前記第４シフト手段は、同時には機能せずに、高音域のゲインについてのユーザ設定と低音域のゲインについてのユーザ設定値の一方のみを、プラス方向又はマイナス方向にシフトすることが可能である、ことを特徴とする請求項２又は請求項３に記載の音声再生装置。
【請求項６】
前記イコライザ設定画面に、特定のジャンルの音楽について適正なユーザ設定値であると考えられる領域に、特定ジャンル適正領域表示を表示する、適正領域表示手段を、さらに備えることを特徴とする請求項１乃至請求項５のいずれかに記載の音声再生装置。
【請求項７】
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示するステップと、
高音域のゲインについてのユーザ設定値と低音域のゲインについてのユーザ設定値に対応する前記イコライザ設定画面における座標に、現在のユーザ設定値を示す１つの設定値表示を表示するステップと、
ユーザからの指示に基づいて、高音域のゲインと低音域のゲインの少なくとも一方のユーザ設定値をプラス方向又はマイナス方向にシフトするステップと、
前記ユーザ設定値がシフトされた場合には、前記イコライザ設定画面における前記設定値表示をシフトさせるステップと、
高音域のゲインについてのユーザ設定値と低音域のゲインについてのユーザ設定値とに基づいて、音声データをイコライズ処理して、音声データの再生を行うステップと、
を備えることを特徴とする音声再生装置の制御方法。
【請求項８】
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示するステップと、
高音域のゲインについてのユーザ設定値と低音域のゲインについてのユーザ設定値に対応する前記イコライザ設定画面における座標に、現在のユーザ設定値を示す１つの設定値表示を表示するステップと、
ユーザからの指示に基づいて、高音域のゲインと低音域のゲインの少なくとも一方のユーザ設定値をプラス方向又はマイナス方向にシフトするステップと、
前記ユーザ設定値がシフトされた場合には、前記イコライザ設定画面における前記設定値表示をシフトさせるステップと、
高音域のゲインについてのユーザ設定値と低音域のゲインについてのユーザ設定値とに基づいて、音声データをイコライズ処理して、音声データの再生を行うステップと、
を音声再生装置に実行させるためのプログラム。
【請求項９】
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示するステップと、
高音域のゲインについてのユーザ設定値と低音域のゲインについてのユーザ設定値に対応する前記イコライザ設定画面における座標に、現在のユーザ設定値を示す１つの設定値表示を表示するステップと、
ユーザからの指示に基づいて、高音域のゲインと低音域のゲインの少なくとも一方のユーザ設定値をプラス方向又はマイナス方向にシフトするステップと、
前記ユーザ設定値がシフトされた場合には、前記イコライザ設定画面における前記設定値表示をシフトさせるステップと、
高音域のゲインについてのユーザ設定値と低音域のゲインについてのユーザ設定値とに基づいて、音声データをイコライズ処理して、音声データの再生を行うステップと、
を音声再生装置に実行させるためのプログラムが記録された記録媒体。
【発明の詳細な説明】
【技術分野】
【０００１】
本発明は、音声再生装置に関し、特に、イコライズ機能を備えた音声再生装置に関する。
【背景技術】
【０００２】
液晶表示装置などの表示画面も備えた小型の音声再生装置が広く普及してきている。このような小型の音声再生装置においても、ユーザの好みの音質で音楽などの音声が再生できるように、イコライズ機能が装備されている。
【０００３】
イコライズ機能は、低音域や高音域などの特定の周波数帯域のゲインを上昇させ、或いは低下させることにより、ユーザの好みの音質で音声を再生したり、ヘッドホンやスピーカなどの特性を補ったりするために、使用されている。
【０００４】
特に小型で持ち運びのできる音声再生装置においては、低音域の周波数帯域のゲインと、高音域の周波数帯域のゲインとの２つのゲインについて、ゲインの上下が可能になっていることが多い。このような音声再生装置においては、ユーザは、低音域が物足りなく感じる場合、低音域のゲインを上げ、高音域の音が耳につき過ぎる場合、高音域のゲインを下げるなどして、自分の好みの音で音声が再生できるようにする。
【０００５】
ここで、個人個人が感じる好みの音は一律ではなく、また、同じ人間でも、その時に聞く音楽のジャンルや、その日の体調、気分、環境などにより、変化してしまうものである。したがって、イコライズ設定は、こまめにストレス無く変更できるように、できるだけ簡単に設定できることが望ましい。
【０００６】
図１は、従来の音声再生装置におけるイコライザ設定画面Ｗ１０を説明する図である。この図１（ａ）から図１（ｅ）を用いて、ユーザが如何にして低音域のゲインと高音域のゲインとを設定しているかを説明する。
【０００７】
図１（ａ）に示すように、イコライザ設定画面Ｗ１０には、低音域のゲイン設定用の目盛りと、高音域のゲイン設定用の目盛りとが、個別に表示される。この例では、低音域のゲインと高音域のゲインのそれぞれに、−５から＋５までの計１１段階の値を、ユーザが選択できるようになっている。図１（ａ）は、デフォルトの状態であり、低音域のゲインと高音域のゲインはともに０に設定されている。
【０００８】
また、ユーザは、このイコライザ設定画面Ｗ１０において、低音域のゲインの設定値を変更する場合には、低音域のゲインの設定モードに入る必要があり、逆に、高音域のゲインの設定値を変更する場合には、高音域のゲインの設定モードに入る必要がある。すなわち、ユーザは、低音域のゲインと高音域のゲインとを同時に設定することはできず、お互いの設定モード間の移行は、一旦、現在の設定モードを抜けて、設定したい音域の設定モードに入り直す必要がある。
【０００９】
この図１（ａ）の状態で、ユーザが、高音域が耳につくので、高音域のゲインの設定モードに入り、高音域のゲインを２ステップ下げたとする。これにより、イコライザ設定画面Ｗ１０は、図１（ｂ）に示すようになる。
【００１０】
次にユーザは、図１（ｂ）の状態で、低音が物足りないので、高音域のゲインの設定モードを抜けて、低音域のゲインの設定モードに入って、低音域のゲインを３ステップ上げたとする。これにより、イコライザ設定画面Ｗ１０は、図１（ｃ）に示すようになる。
【００１１】
次にユーザは、図１（ｃ）の状態で、今度は高音をもう少し上げたくなったので、低音域のゲインの設定モードを抜けて、高音域のゲインの設定モードに入り、高音域のゲインを１ステップ上げたとする。これにより、イコライザ設定画面Ｗ１０は、図１（ｄ）に示すようになる。
【００１２】
次にユーザは、この図１（ｄ）の状態で、今度は低音が出すぎていると感じたので、高音域のゲインの設定モードを抜けて、低音域のゲインの設定モードに入り、低音域のゲインを１ステップ下げたとする。これにより、イコライザ設定画面Ｗ１０は、図１（ｅ）に示すようになる。以上の一連の操作により、ユーザの好みの音質に設定できたものとする。
【００１３】
この一連の操作から分かるように、人間が音声を聞いて得られるイメージは、低音域と高音域とが独立しているわけではなく、両者が密接に関連して１つのイメージを形成している。このため、上述したように、高音域のゲインを設定するステップと低音域のゲインを設定するステップとを別々に行う場合、低音域のゲインを調整して最良の低音域のゲインの設定にしたと思っても、次に高音域のゲインを調整すると、先に設定した低音域の聞こえ方にも影響が及んでしまい、低音域のゲインの設定が最良とは思えなくなってしまうことがある。これは、逆に高音域のゲインから先に設定した場合でも同様である。
【００１４】
このため、ユーザは、例えば、低音域のゲインの設定を行い、次いで高音域のゲインの設定を行い、次いで低音域のゲインの設定を行い、次いで高音域のゲインの設定を行う、という一連の操作を繰り返さなければならず、ユーザがイコライザ設定を煩雑に感じてしまうおそれがある。
【００１５】
一方、特開平５−７１１６号公報（特許文献１）には、視覚的にイコライザ設定の状態を表示して、ユーザに周波数特性が目で見えるようにすることにより、誤ったイコライザ設定がなされてしまうのを回避する技術が開示されている。しかし、この特開平５−７１１６号公報のイコライザ設定においても、各周波数帯域を個別に設定しなければならず、その煩雑さは、上述した例と変わらない。
【特許文献１】特開平５−７１１６号公報
【発明の開示】
【発明が解決しようとする課題】
【００１６】
そこで本発明は、前記課題に鑑みてなされたものであり、イコライザ設定において、高音域のゲインの設定と低音域のゲインの設定をする際に、ユーザの煩雑さを解消することを目的とする。
【課題を解決するための手段】
【００１７】
上記課題を解決するため、本発明に係る音声再生装置は、
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示する、イコライザ設定画面手段と、
高音域のゲインについてのユーザ設定値と低音域のゲインについてのユーザ設定値を、それぞれ、プラス方向及びマイナス方向にシフトするための、ユーザ設定値シフト手段と、
高音域のゲインについてのユーザ設定値と低音域のゲインについてのユーザ設定値に対応する前記イコライザ設定画面における座標に、現在のユーザ設定値を示す１つの設定値表示を表示するとともに、前記ユーザ設定値シフト手段でユーザ設定値がシフトされた場合には、前記設定値表示もシフトさせる、設定値表示手段と、
高音域のゲインについてのユーザ設定値と低音域のゲインについてのユーザ設定値とに基づいて、音声データをイコライズ処理して、音声データの再生を行う、再生手段と、
を備えることを特徴とする。
【００１８】
この場合、前記ユーザ設定値シフト手段は、
高音域のゲインについてのユーザ設定値をプラス方向にシフトする、第１シフト手段と、
高音域のゲインについてのユーザ設定値をマイナス方向にシフトする、第２シフト手段と、
低音域のゲインについてのユーザ設定値をプラス方向にシフトする、第３シフト手段と、
低音域のゲインについてのユーザ設定値をマイナス方向にシフトする、第４シフト手段と、
を備えるようにしてもよい。
【００１９】
この場合、前記第１シフト手段乃至前記第４シフト手段は、前記イコライザ設定画面が表示されている１つの設定モードの中で有効に機能するようにしてもよい。
【００２０】
この場合、前記第１シフト手段と前記第２シフト手段の一方と、前記第３シフト手段と前記第４シフト手段の一方は、同時に機能して、高音域のゲインについてのユーザ設定値をシフトするのと同時に、低音域のゲインについてのユーザ設定値もシフトすることが可能なように構成してもよい。
【００２１】
或いは、前記第１シフト手段乃至前記第４シフト手段は、同時には機能せずに、高音域のゲインについてのユーザ設定と低音域のゲインについてのユーザ設定値の一方のみを、プラス方向又はマイナス方向にシフトすることが可能なように構成してもよい。
【００２２】
また、前記イコライザ設定画面に、特定のジャンルの音楽について適正なユーザ設定値であると考えられる領域に、特定ジャンル適正領域表示を表示する、適正領域表示手段を、さらに備えるようにしてもよい。
【００２３】
本発明に係る音声再生装置の制御方法は、
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示するステップと、
高音域のゲインについてのユーザ設定値と低音域のゲインについてのユーザ設定値に対応する前記イコライザ設定画面における座標に、現在のユーザ設定値を示す１つの設定値表示を表示するステップと、
ユーザからの指示に基づいて、高音域のゲインと低音域のゲインの少なくとも一方のユーザ設定値をプラス方向又はマイナス方向にシフトするステップと、
前記ユーザ設定値がシフトされた場合には、前記イコライザ設定画面における前記設定値表示をシフトさせるステップと、
高音域のゲインについてのユーザ設定値と低音域のゲインについてのユーザ設定値とに基づいて、音声データをイコライズ処理して、音声データの再生を行うステップと、
を備えることを特徴とする。
【００２４】
本発明に係るプログラムは、
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示するステップと、
高音域のゲインについてのユーザ設定値と低音域のゲインについてのユーザ設定値に対応する前記イコライザ設定画面における座標に、現在のユーザ設定値を示す１つの設定値表示を表示するステップと、
ユーザからの指示に基づいて、高音域のゲインと低音域のゲインの少なくとも一方のユーザ設定値をプラス方向又はマイナス方向にシフトするステップと、
前記ユーザ設定値がシフトされた場合には、前記イコライザ設定画面における前記設定値表示をシフトさせるステップと、
高音域のゲインについてのユーザ設定値と低音域のゲインについてのユーザ設定値とに基づいて、音声データをイコライズ処理して、音声データの再生を行うステップと、
を音声再生装置に実行させることを特徴とする。
【００２５】
本発明に係る記録媒体は、
縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面を表示するステップと、
高音域のゲインについてのユーザ設定値と低音域のゲインについてのユーザ設定値に対応する前記イコライザ設定画面における座標に、現在のユーザ設定値を示す１つの設定値表示を表示するステップと、
ユーザからの指示に基づいて、高音域のゲインと低音域のゲインの少なくとも一方のユーザ設定値をプラス方向又はマイナス方向にシフトするステップと、
前記ユーザ設定値がシフトされた場合には、前記イコライザ設定画面における前記設定値表示をシフトさせるステップと、
高音域のゲインについてのユーザ設定値と低音域のゲインについてのユーザ設定値とに基づいて、音声データをイコライズ処理して、音声データの再生を行うステップと、
を音声再生装置に実行させるプログラムが記録されたことを特徴とする。
【発明を実施するための最良の形態】
【００２６】
以下、図面を参照して、本発明の実施形態を説明する。なお、以下に説明する実施形態は、本発明の技術的範囲を限定するものではない。
【００２７】
図２は、本実施形態に係る情報端末１０の外観斜視図であり、図３は、図２の情報端末１０の内部構成の一例を説明するブロック図である。
【００２８】
図２に示すように、本実施形態に係る情報端末１０は、その前面に表示画面２０を備えている。この表示画面２０は、例えば、ＬＣＤ（Liquid Crystal Display）により構成されている。
【００２９】
また、この情報端末１０における表示画面２０右側には、ユーザインターフェースとして、電源ボタンＢ１０と、決定ボタンＢ１１と、キャンセルボタンＢ１２と、上側設定移動ボタンＢ１３と、下側設定移動ボタンＢ１４と、右側設定移動ボタンＢ１５と、左側設定移動ボタンＢ１６とが、設けられている。
【００３０】
電源ボタンＢ１０は、この情報端末１０の電源をオンにする場合や、オフにする場合に押下されるボタンである。決定ボタンＢ１１は、ユーザがこの情報端末１０について各種の操作をしている際に、その操作や設定を最終的に有効にする場合に、押下されるボタンである。キャンセルボタンＢ１２は、ユーザがこの情報端末１０について各種の操作をしている際に、その操作や設定を無効にする場合に、押下されるボタンである。
【００３１】
上側設定移動ボタンＢ１３と、下側設定移動ボタンＢ１４と、右側設定移動ボタンＢ１５と、左側設定移動ボタンＢ１６は、カーソルなどを、それぞれ、上側、下側、右側、左側に移動する場合に、押下されるボタンである。本実施形態においては、特に、後述するイコライザ設定の際に、高音域及び低音域のゲインのユーザ設定値を変更する場合に、これらの設定移動ボタンＢ１３〜Ｂ１６が押下される。
【００３２】
なお、この図２に示した情報端末１０は、音声を再生する音声再生装置の一例であり、ここでは、音楽や静止画、動画などを再生できる小型の携帯型ストレージデバイスを想定している。
【００３３】
図３に示すように、情報端末１０は、その内部に、ＣＰＵ（Central Processing Unit）３０と、ＲＯＭ（Read Only Memory）３２と、ＲＡＭ（Random Access Memory）３４と、ハードディスクドライブ３６とを備えて構成されており、これらは互いに内部バスを介して接続されている。
【００３４】
また、この情報端末１０は、ビデオデコーダ３８を備えている。ビデオデコーダ３８は、ＣＰＵ３０から、ハードディスクドライブ３６に格納されている動画データや静止画データを受け取って、このデータを再生することにより、表示画面２０に動画や静止画を表示する。
【００３５】
さらに、この情報端末１０は、デジタル音声信号処理部４０と、デジタルボリューム４２と、デジタル／アナログコンバータ４４と、音声増幅器４６とを備えている。デジタル音声信号処理部４０は、例えばＤＳＰ（Digital Signal Processor）により構成されており、ＣＰＵ３０を介して、ハードディスクドライブ３６に格納されている音声データを取得する。ここで、音声データとは、音声を再生するために必要なデータであり、音声を再生するのに必要な信号をデジタル化したデータである。必要に応じて、この音声データは圧縮されて、そのデータサイズの縮小化が図られている。また、ここで、音声とは、音楽や人の声や物音などを含む広い概念を意味している。
【００３６】
デジタル音声信号処理部４０は、音声データを取得すると、この音声データが圧縮されている場合はこれを伸張する。そして、音声データのデコードを行い、ＰＣＭ（Pulse Code Modulation）化された状態のデジタルの音声データを生成する。また、ユーザが行ったイコライザ設定に基づいて、高音域のゲインと低音域のゲインとを調整する。このイコライズ処理を行ったデジタルの音声データは、デジタルボリューム４２に出力される。
【００３７】
デジタルの音声データを取得したデジタルボリューム４２では、ユーザがこの情報端末１０に対して行っているボリューム設定に基づいて、音声データのボリュームを調整する。デジタルボリューム４２は、ユーザが設定したボリューム値をＣＰＵ３０から取得する。このボリューム調整されたデジタルの音声データは、デジタル／アナログコンバータ４４に出力される。
【００３８】
デジタルの音声データを取得したデジタル／アナログコンバータ４４では、このデジタルの音声データをアナログ信号に変換して、音声増幅器４６に出力する。音声増幅器４６では、このアナログ信号の音声を増幅して、スピーカ出力端子５０と、ヘッドホン出力端子５２と、ライン出力端子５４とに出力する。このため、例えば、この情報端末１０のスピーカ出力端子５０にスピーカが接続されていれば、そのスピーカから再生された音声が出力される。また、この情報端末１０のヘッドホン出力端子５２にヘッドホンが接続されていれば、そのヘッドホンから再生された音声が出力される。
【００３９】
次に、図４に基づいて、本実施形態に係るイコライザ設定処理について説明する。この図４は、情報端末１０が実行するイコライザ設定処理の内容を説明するフローチャートを示す図である。このイコライザ設定処理は、ＲＯＭ３２又はハードディスクドライブ３６に格納されているイコライザ設定プログラムを、ＣＰＵ３０が読み込んで実行することにより実現される処理である。
【００４０】
また、このイコライザ設定処理は、図５に示した表示画面２０に表示される設定メニュー画面Ｗ２０において、ユーザが、上側設定移動ボタンＢ１３と下側設定移動ボタンＢ１４とを操作してカーソルＣＲを移動させ、カーソルＣＲが「イコライザ設定」に位置している際に、決定ボタンＢ１１を押下した場合に、起動される処理である。
【００４１】
図４に示すように、このイコライザ設定処理が開始されると、情報端末１０は、現在のゲインユーザ設定値を取得する（ステップＳ１０）。図６は、本実施形態に係るＲＡＭ３４又はハードディスクドライブ３６に保持されているユーザ設定値テーブルＴＢ１０の構成の一例を示す図である。この図６に示すように、ユーザ設定値テーブルＴＢ１０には、高音域のゲインについてのユーザ設定値と、そのユーザ設定値に対応する実際のイコライザゲイン値が格納されており、また、低音域のゲインについてのユーザ設定値と、そのユーザ設定値に対応する実際のイコライザゲイン値が格納されている。ユーザ設定値は、ユーザが任意に設定できるものであるが、そのデフォルトは０になっている。このステップＳ１０においては、情報端末１０は、ユーザ設定値テーブルＴＢ１０から、現在のゲインユーザ設定値を読み出して取得する。
【００４２】
次に、図４に示すように、情報端末１０は、イコライザ設定画面を表示画面２０に表示する（ステップＳ１２）。図７は、このとき、表示画面２０に表示されるイコライザ設定画面Ｗ３０の一例を示す図である。この図７に示すように、本実施形態に係るイコライザ設定画面Ｗ３０においては、高音域と低音域のユーザ設定値が二次元の表形式に表示される。すなわち、横軸に高音域のゲインについてのユーザ設定値の目盛りが割り当てられ、縦軸に低音域のゲインについてのユーザ設定値の目盛りが割り当てられて、全体として二次元座標系を構成している。但し、縦軸と横軸の割り当てを入れ替えて、縦軸に高音域のゲインについてのユーザ設定値の目盛りを割り当て、横軸に低音域のゲインについてのユーザ設定値の目盛りを割り当てるようにしてもよい。
【００４３】
また、本実施形態においては、高音域と低音域ともに、ユーザ設定値は、それぞれ、−５〜＋５まで１刻みで設定できるようになっており、全部で１１段階の値を有している。上述したように、高音域と低音域のユーザ設定値のデフォルトは０であるので、座標（０，０）である位置Ａに、現在のユーザ設定値を表すドットが、１つ、設定値表示として表示される。
【００４４】
次に、図４に示すように、情報端末１０は、設定移動ボタンＢ１３〜Ｂ１６が押下されたかどうかを判断する（ステップＳ１４）。いずれかの設定移動ボタンＢ１３〜Ｂ１６が押下された場合（ステップＳ１４：ＹＥＳ）には、押下された設定移動ボタンの方向に、ゲインユーザ設定値を移動する。例えば、上側設定移動ボタンＢ１３が押下された場合には、低音域のゲインについてのユーザ設定値を現在の値から＋１シフトする。下側設定移動ボタンＢ１４が押下された場合には、低音域のゲインについてのユーザ設定値を現在の値から−１シフトする。右側設定移動ボタンＢ１５が押下された場合には、高音域のゲインについてのユーザ設定値を現在の値から＋１シフトする。左側設定移動ボタンＢ１６が押下された場合には、高音域のゲインについてのユーザ設定値を現在の値から−１シフトする。
【００４５】
さらに、本実施形態においては、２つの設定移動ボタンを同時に押下することにより、高音域のゲインについてのユーザ設定値の移動と、低音域のゲインについてのユーザ設定値の移動とを、同時に行うことも可能である。例えば、上側設定移動ボタンＢ１３と右側設定移動ボタンＢ１５とが同時に押下された場合には、高音域のゲインについてのユーザ設定値を現在の値から＋１シフトするとともに、低音のゲインについてのユーザ設定値も現在の値から＋１シフトする。同様に、例えば、下側設定移動ボタンＢ１４と左側設定移動ボタンＢ１６とが同時に押下された場合には、高音域のゲインについてのユーザ設定値を現在の値から−１シフトするとともに、低音のゲインについてのユーザ設定値も現在の値から−１シフトする。
【００４６】
同時に押下することが有効なのは、低音域のゲインについてのユーザ設定値をシフトする設定移動ボタンＢ１３、Ｂ１４の一方と、高音域のゲインについてのユーザ設定値をシフトする設定移動ボタンＢ１５、Ｂ１６の一方との組み合わせである。したがって、例えば、上側設定移動ボタンＢ１３と下側設定移動ボタンＢ１４とを同時に押下しても、何も起きない。
【００４７】
但し、２つの設定移動ボタンを同時に押下することにより、高音域のゲインについてのユーザ設定値の移動と、低音域のゲインについてのユーザ設定値の移動とを、同時に行う機能は、必ずしも必要なものではなく、このような機能を省くことも可能である。
【００４８】
次に、情報端末１０は、イコライザ設定画面Ｗ３０における設定値表示を移動する（ステップＳ１８）。すなわち、ステップＳ１６でユーザ設定値を移動した結果を反映した座標に、設定値表示であるドットを移動する。
【００４９】
次に、情報端末１０は、ユーザ設定値テーブルＴＢ１０を更新する（ステップＳ２０）。すなわち、ステップＳ１６でユーザ設定値を移動した結果を、ユーザ設定値テーブルＴＢ１０のユーザ設定値に反映させる。また、情報端末１０は、図８に示すイコライザゲイン値対応テーブルＴＢ２０を参照して、ユーザ設定値に対応する実際のイコライザゲイン値を取得して、ユーザ設定値テーブルＴＢ１０に格納する。この図８に示すように、イコライザゲイン値対応テーブルＴＢ２０には、高音域及び低音域のゲインについてのユーザ設定値と、これに対応する実際のイコライザゲイン値の関係が保持されている。本実施形態においては、このイコライザゲイン値対応テーブルＴＢ２０は、ＲＯＭ３２又はハードディスクドライブ３６に格納されている。
【００５０】
したがって、例えば、ユーザが、高音域のゲインについてのユーザ設定値を＋２に設定した場合には、実際のイコライザゲイン値は＋４ｄＢになる。このように情報端末１０はユーザ設定値テーブルＴＢ１０を更新した後、上述したステップＳ１４の処理に戻る。
【００５１】
一方、このステップＳ１４において、設定移動ボタンＢ１３〜Ｂ１６のいずれもが押下されていないと判断した場合（ステップＳ１４：ＮＯ）には、情報端末１０は、決定ボタンＢ１１が押下されたかどうかを判断する（ステップＳ２２）。
【００５２】
決定ボタンＢ１１が押下された場合（ステップＳ２２：ＹＥＳ）には、このイコライザ設定画面を終了する。これにより、表示画面２０には、図５に示した設定メニュー画面Ｗ２０が表示される。一方、決定ボタンＢ１１が押下されていない場合（ステップＳ２２：ＮＯ）には、上述したステップＳ１４からの処理を繰り返す。
【００５３】
例えば、このイコライザ設定処理において、図７の位置Ａに設定値表示のドットがある場合に、高音域が耳についたので、高音域のゲインについてのユーザ設定値をマイナス方向（左方向）に２つシフトするために、ユーザが左側設定移動ボタンＢ１６を２回押下したとする。すると、設定値表示のドットは、座標（−２，０）の位置Ｂに移動する。
【００５４】
次に、ユーザは、低音域が物足りないと感じたので、低音域のゲインについてのユーザ設定値をプラス方向（上方向）に３つシフトするために、上側設定移動ボタンＢ１３を３回押下したとする。すると、設定値表示のドットは、座標（−２，＋３）の位置Ｃに移動する。
【００５５】
次に、ユーザは、今度は高音域をもう少し上げたいと感じたので、高音域のゲインについてのユーザ設定値をプラス方向（右方向）に１つシフトするために、右側設定移動ボタンＢ１５を１回押下したとする。すると、設定値表示のドットは、座標（−１，＋３）の位置Ｄに移動する。
【００５６】
次に、ユーザは、今度は低音域が出すぎていると感じたので、低音域のゲインについてのユーザ設定値をマイナス方向（下方向）に１つシフトするために、下側設定移動ボタンＢ１４を１回押下したとする。すると、設定値表示のドットは、座標（−１，＋２）の位置Ｅに移動する。ここでは、この位置Ｅのユーザ設定値で、ユーザが音質に満足できたとする。
【００５７】
このことから分かるように、これらの高音域及び低音域のゲインのユーザ設定値を変更する間に、ユーザは、高音域の設定モードと低音域の設定モードとの間の変更を必要としていない。すなわち、１つの設定モードの中で、イコライザ設定画面Ｗ３０を用いて、高音域と低音域のゲインについてのユーザ設定値を変更し、設定することが可能である。
【００５８】
さらに、本実施形態においては、２つの設定移動ボタンを同時に押下することにより、イコライザ設定画面Ｗ３０における斜め方向の移動も可能である。例えば、座標（−２，＋３）の位置Ｃに設定値表示のドットが位置している場合に、ユーザが、右側設定移動ボタンＢ１５と下側設定移動ボタンＢ１４とを同時に押下した場合には、高音域のゲインのユーザ設定値がプラス方向に１つシフトされ、低音域のゲインのユーザ設定値がマイナス方向に１つシフトされて、座標（−１，＋２）の位置Ｅに移動する。
【００５９】
図９は、この位置Ｅに設定値表示のドットが移動した場合における、ユーザ設定値テーブルＴＢ１０の状態を示す図である。この図９に示すように、高音域のゲインについてのユーザ設定値が−１になり、これに対応して、イコライザゲイン値は−２ｄＢになる。また、低音域のゲインについてのユーザ設定値が＋２になり、これに対応して、イコライザゲイン値は＋４ｄＢになる。
【００６０】
デジタル音声信号処理部４０は、音声データをイコライズ処理する際には、このユーザ設定値テーブルＴＢ１０を随時参照し、このユーザ設定値テーブルＴＢ１０に格納されている高音域のゲインについてのイコライザゲイン値に基づいて、再生する音声データの高音域のゲインを調整し、ユーザ設定値テーブルＴＢ１０に格納されている低音域のゲインについてのイコライザゲイン値に基づいて、再生する音声データの低音域のゲインを調整する。このため、図４のイコライザ設定処理におけるステップＳ２０において、ユーザ設定値テーブルＴＢ１０が更新されれば、直ちに、更新されたユーザ設定値に基づく音質で、音声が再生される。
【００６１】
さらに、本実施形態に係るイコライザ設定画面Ｗ３０においては、特定のジャンルの音楽について、適正なユーザ設定値であると考えられる領域に、特定ジャンル適正表示をしている。例えば、図７の例では、ジャンルとしてロックに適正であると考えられる領域を点線で囲って「ロック適正領域」と表示し、クラシックに適正であると考えられる領域を点線で囲って「クラシック適正領域」と表示している。このため、ユーザは、例えば、自分がロックを聞こうとしている場合には、この「ロック適正領域」にあるいずれかの座標に、設定値表示のドットをひとまず移動し、自分の好みの音質であるかどうかを確かめることができる。この特定ジャンル適正領域の表示は、点線に限らず、様々な態様が考えられる。例えば、この特定ジャンル適正領域を他の領域と区別できるように別な色を付するようにしてもよい。但し、この特定ジャンル適正表示は、必ずしも表示するする必要はない。
【００６２】
以上のように、本実施形態に係る情報端末１０によれば、高音域のゲインと低音域のゲインの双方を設定する際に、ユーザは、イコライザ設定画面Ｗ３０を見ながら、且つ、そのユーザ設定値が反映された音質の音声を聞きながら、ユーザ設定値の変更を行えるので、従来煩雑であったイコライザ設定を簡単に行うことができる。すなわち、ユーザは、イコライザ設定画面Ｗ３０を見ながら、高音域のゲインを設定するモードと低音域のゲインを設定するモードとを切り替えたり、抜けたりすることなく、１つのモードの中で、両方のゲインを設定することができる。
【００６３】
なお、本発明は上記実施形態に限定されず種々に変形可能である。例えば、上述した実施形態では、設定移動ボタンＢ１３〜Ｂ１６により、高音域のゲイン及び低音域のゲインのユーザ設定値をプラス方向及びマイナス方向にシフトすることとしたが、これとは異なるユーザインターフェースにより、これらをシフトするようにしてもよい。例えば、マウスやトラックボールなどのポインティングデバイスにより、イコライザ設定画面Ｗ３０の設定値表示のドットを移動して、高音域のゲイン及び低音域のゲインのユーザ設定値をシフトするようにしてもよい。
【００６４】
また、上述した実施形態では、音声再生装置の一例として、小型の情報端末１０をあげて本発明を説明したが、パーソナルコンピュータやノートパソコンなどの他の装置により、音声再生装置を構成してもよい。
【００６５】
さらに、上述の実施形態で説明したイコライザ設定処理については、このイコライザ設定処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを音声再生装置に読み込ませ、実行させることにより、上述した実施形態を実現することができる。
【００６６】
また、音声再生装置は、オペレーティングシステムや別のアプリケーションプログラム等の他のプログラムを備える場合がある。この場合、音声再生装置の備える他のプログラムを活用するために、その音声再生装置が備えるプログラムの中から、上述した実施形態と同等の処理を実現するプログラムを呼び出すような命令を含むプログラムを、記録媒体に記録するようにしてもよい。
【００６７】
さらに、このようなプログラムは、記録媒体の形ではなく、ネットワークを通じて搬送波として頒布することも可能である。ネットワーク上を搬送波の形で伝送されたプログラムは、音声再生装置に取り込まれて、このプログラムを実行することにより上述した実施形態を実現することができる。
【００６８】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ音声再生装置は、そのプログラムの復号や伸張を行った上で、実行する必要がある。
【００６９】
さらに、上述したイコライザ設定処理は、ソフトウェアではなく、ハードウェアにより構成することも可能である。図１０は、上述したイコライザ設定処理をＡＳＩＣ（Application Specific IC）などのハードウェアにより構成した場合の情報端末１０を説明するブロック図である。
【００７０】
この図１０に示すように、図３の情報端末１０の構成部品に加えて、イコライザ設定画面表示部１００と、ユーザ設定値シフト部１０２と、設定値表示部１０４と、再生部１０６と、適正領域表示部１０８とをさらに備えて構成されている。
【００７１】
イコライザ設定画面表示部１００は、イコライザ設定処理において、図７に示したイコライザ設定画面Ｗ３０を表示画面２０に表示する。すなわち、イコライザ設定画面表示部１００は、縦軸と横軸の一方の軸に、高音域のゲインについてのユーザ設定値の目盛りをとり、縦軸と横軸の他方の軸に、低音域のゲインについてのユーザ設定値の目盛りをとることにより、高音域のゲインについてのユーザ設定値と低音域のゲインについてのユーザ設定値とを二次元座標系で表現したイコライザ設定画面Ｗ３０を、表示画面２０に表示する。
【００７２】
ユーザ設定値シフト部１０２は、高音域のゲインについてのユーザ設定値と低音域のゲインについてのユーザ設定値を、それぞれ、プラス方向及びマイナス方向にシフトする。上述した実施形態では、このユーザ設定値シフト部１０２は、ユーザが設定移動ボタンＢ１３〜Ｂ１６を操作して、ユーザ設定値のシフトを指示した場合に、その指示に応じて、これらのユーザ設定値をシフトする。
【００７３】
具体的には、ユーザが右側設定移動ボタンＢ１５を押下した場合には、高音域のゲインについてのユーザ設定値をプラス方向にシフトし、ユーザが左側設定移動ボタンＢ１６を押下した場合には、高音域のゲインについてのユーザ設定値をマイナス方向にシフトする。また、ユーザが上側設定移動ボタンＢ１３を押下した場合には、低音域のゲインについてのユーザ設定値をプラス方向にシフトし、ユーザが下側設定移動ボタンＢ１４を押下した場合には、低音域のゲインについてのユーザ設定値をマイナス方向にシフトする。
【００７４】
設定値表示部１０４は、高音域のゲインについてのユーザ設定値と低音域のゲインについてのユーザ設定値に対応するイコライザ設定画面Ｗ３０における座標に、現在のユーザ設定値を示す１つの設定値表示を表示するとともに、ユーザ設定値シフト部１０２でユーザ設定値がシフトされた場合には、このイコライザ設定画面Ｗ３０における設定値表示もシフトさせる。
【００７５】
再生部１０６は、高音域のゲインについてのユーザ設定値と低音域のゲインについてのユーザ設定値とに基づいて、音声データをイコライズ処理して、音声データの再生する。具体的には、この再生部１０６は、図３のデジタル音声信号処理部４０とデジタルボリューム４２とデジタル／アナログコンバータ４４と音声増幅器４６とにより、構成されている。
【００７６】
適正領域表示部１０８は、イコライザ設定画面Ｗ３０に、特定のジャンルの音楽について適正なユーザ設定値であると考えられる領域に、特定ジャンル適正領域表示を表示する。具体的には、適正領域表示部１０８は、図７のイコライザ設定画面Ｗ３０において、特定ジャンル適正領域表示として、「ロック適正領域」、「クラシック適正領域」と表示する。
【００７７】
これ以外の具体的な処理内容や操作方法は、上述したソフトウェアによるイコライザ設定処理と同様である。
【図面の簡単な説明】
【００７８】
【図１】従来のイコライザ設定画面を用いて、高音域のゲインと低音域のゲインを設定する手順を説明する図である。
【図２】本実施形態に係る情報端末の外観斜視図である。
【図３】本実施形態に係る情報端末の内部構成の一例を説明する図である。
【図４】本実施形態に係る情報端末が実行するイコライザ設定処理の内容を説明するフローチャートを示す図である。
【図５】本実施形態に係る情報端末の表示画面に表示される設定メニュー画面の一例を示す図。
【図６】本実施形態に係る情報端末が保持するユーザ設定値テーブルの構成の一例を示す図である。
【図７】本実施形態に係る情報端末の表示画面に表示されるイコライザ設定画面の一例を示す図である。
【図８】本実施形態に係る情報端末が保持するイコライザゲイン値対応テーブルの構成の一例を示す図である。
【図９】イコライザ設定処理を終えた後のユーザ設定値テーブルの状態の一例を示す図である。
【図１０】ハードウェアによりイコライザ設定処理を実現する場合の情報端末の内部構成の一例を示す図である。
【符号の説明】
【００７９】
１０  情報端末
２０  表示画面
３０  ＣＰＵ
３２  ＲＯＭ
３４  ＲＡＭ
３６  ハードディスクドライブ
３８  ビデオデコーダ
４０  デジタル音声信号処理部
４２  デジタルボリューム
４４  デジタル／アナログコンバータ
４６  音声増幅器
５０  スピーカ出力端子
５２  ヘッドホン出力端子
５４  ライン出力端子
Ｂ１０  電源ボタン
Ｂ１１  決定ボタン
Ｂ１２  キャンセルボタン
Ｂ１３  上側設定移動ボタン
Ｂ１４  下側設定移動ボタン
Ｂ１５  右側設定移動ボタン
Ｂ１６  左側設定移動ボタン
【図１】
2007060376.tif 000003
【図２】
2007060376.tif 000004
【図３】
2007060376.tif 000005
【図４】
2007060376.tif 000006
【図５】
2007060376.tif 000007
【図６】
2007060376.tif 000008
【図７】
2007060376.tif 000009
【図８】
2007060376.tif 000010
【図９】
2007060376.tif 000011
【図１０】
2007060376.tif 000012